(57)【要約】【課題】蓄電装置及び電力変換装置を備えた電源装置における蓄電池の温度を、簡易な構成で調整することが可能であり、かつ効率的に調整することが可能な電源装置を提供する。【解決手段】電源装置１は、パワーコンディショナ１０と蓄電装置３０とが同一筐体２内に格納され、電力変換回路１３で発生した熱を放熱するヒートシンク１５と、ヒートシンク１５を格納するヒートシンク格納部１７と、蓄電池３３を格納する蓄電池格納部３１と、空気をヒートシンク格納部１７の内部に吸入するファン２０と、蓄電池格納部３１の内部の空気をヒートシンク格納部１７の内部に吸入する状態である冷却状態と、ヒートシンク格納部１７の内部の空気を蓄電池格納部３１の内部に排出する状態である加熱状態とを切り替える制御部７０と、を備える。【選択図】図１
2014107207.tif 000002
【特許請求の範囲】
【請求項１】
電力を供給する発電部から供給された電力を負荷に供給可能な電力に変換する電力変換装置と、前記発電部から供給された電力を蓄電すると共に蓄電した電力を前記負荷に供給可能な蓄電装置と、を備える電源装置であって、
前記電力変換装置と前記蓄電装置とが同一筐体内に格納されており、
前記電力変換装置における電力変換回路で発生した熱を放熱する放熱部と、
前記放熱部を格納する放熱部格納部と、
前記蓄電装置における蓄電池を格納する蓄電池格納部と、
空気を前記蓄電池格納部の内部に吸入する送風部と、
前記蓄電池格納部の内部の空気を前記放熱部格納部の内部に吸入する状態である冷却状態と、前記放熱部格納部の内部の空気を前記蓄電池格納部の内部に排出する状態である加熱状態とを切り替える制御部と、
を備える、電源装置。
【請求項２】
前記制御部は、前記蓄電池の温度に基づいて、前記冷却状態と前記加熱状態とを切り替える、
請求項１に記載の電源装置。
【請求項３】
前記送風部を介して前記筐体の外部の空気を前記放熱部格納部の内部に吸入するための第１開閉部と、
前記蓄電池格納部の内部と前記筐体の外部との間で空気を出し入れするための第２開閉部と、
前記送風部を介して前記蓄電池格納部の内部の空気を前記放熱部格納部の内部に吸入するための第３開閉部と、
前記放熱部格納部の内部の空気を前記蓄電池格納部の内部に排出するための第４開閉部と、
前記放熱部格納部の内部の空気を前記筐体の外部に排出するための第５開閉部と、
を更に備え、
前記第１〜第５開閉部のそれぞれは、前記制御部によって開閉が制御される構成となっており、
前記制御部は、
前記第２開閉部、前記第３開閉部及び前記第５開閉部を開くと共に、前記第１開閉部及び前記第４開閉部を閉じることにより前記冷却状態とし、
前記第１開閉部、前記第２開閉部及び前記第４開閉部を開くと共に、前記第３開閉部及び前記第５開閉部を閉じることにより前記加熱状態とする、
請求項１又は２に記載の電源装置。
【請求項４】
前記制御部は、前記第２開閉部の開閉量を制御することにより、前記加熱状態における前記蓄電池格納部の内部の温度上昇を調整する、
請求項３に記載の電源装置。
【請求項５】
前記送風部は、前記放熱部格納部の内部に空気を送り込む場合と逆回転することにより、前記放熱部格納部の内部の空気を排出することが可能な構成となっており、
前記制御部は、前記送風部の回転方向を制御して、前記冷却状態と前記加熱状態とを切り替える、
請求項１又は２に記載の電源装置。
【請求項６】
前記送風部は、
前記放熱部格納部の内部に空気を送り込む第１送風部と、
前記放熱部格納部の内部の空気を排出する第２送風部と、
を有しており、
前記制御部は、前記第１送風部及び前記第２送風部の一方を作動させて、前記冷却状態と前記加熱状態とを切り替える、
請求項１又は２に記載の電源装置。
【請求項７】
前記制御部は、前記蓄電池格納部の内部と前記筐体の外部との間で空気を出し入れするための第６開閉部の開閉量を制御することにより、前記加熱状態における前記蓄電池格納部の内部の温度上昇を調整する、
請求項５又は６に記載の電源装置。
【請求項８】
前記放熱部格納部は、鉛直方向において前記蓄電池格納部よりも上方に配置される、
請求項１〜７の何れか一項に記載の電源装置。
【請求項９】
前記制御部は、前記電力変換回路における変換効率を制御することにより発熱量を増加させ、前記加熱状態における前記蓄電池格納部の内部の温度上昇を促進させる、
請求項１〜８の何れか一項に記載の電源装置。
【発明の詳細な説明】
【技術分野】
【０００１】
本発明は、太陽電池や燃料電池などが発電する直流電力を交流電力に変換する電源装置に関する。
【背景技術】
【０００２】
近年、太陽電池、燃料電池など、いわゆる創エネ機器の普及が拡大しつつある。例えば、特許文献１に示すように、太陽電池によって発電した直流電力を、インバータなどの電力変換回路を備えるパワーコンディショナによって商用周波数の交流電力に変換する電源装置がある。これらの電源装置の中には、発電電力の安定化及び余剰電力を蓄える目的の蓄電装置を備えた電源装置もある。
【０００３】
上記蓄電装置は、化学反応を利用して充放電を行う蓄電池を有し、この蓄電池は、温度によっては性能が劣化するという問題がある。これらの問題に対し、蓄電装置内に温度調整装置を設けることによって蓄電池の温度を調整することが考えられる。また、引用文献２には、ファンを設け、風の流れを変えることによって簡易的に電池部分の温度調整を行う電池冷却装置が開示されている。
【先行技術文献】
【特許文献】
【０００４】
【特許文献１】特開平１０−６３３５８号公報
【特許文献２】特開２０１０−９７８７２号公報
【発明の概要】
【発明が解決しようとする課題】
【０００５】
しかしながら、上記のような温度調整装置を設けることは、装置の構成が複雑になると共に、設備コスト及び温度調整のためのランニングコストがかかることを考慮すると現実的とはいえない。また、上記引用文献２に開示の技術のように、単に送風部を設け、風の流れの向きを変えるだけでは、蓄電池の温度を効率的に調整することは困難と考えられる。
【０００６】
そこで、本発明の主な目的は、蓄電装置及び電力変換装置を備えた電源装置における蓄電池の温度を、簡易な構成で調整することが可能であり、かつ効率的に調整することが可能な電源装置を提供することにある。
【課題を解決するための手段】
【０００７】
本発明の電源装置は、電力を供給する発電部から供給された電力を負荷に供給可能な電力に変換する電力変換装置と、発電部から供給された電力を蓄電すると共に蓄電した電力を負荷に供給可能な蓄電装置とを備える電源装置であって、放熱部と、放熱部格納部と、蓄電池格納部と、送風部と、制御部と、を備える。電力変換装置と蓄電装置とは、同一筐体内に格納されている。放熱部は、電力変換装置における電力変換回路で発生した熱を放熱する。放熱部格納部は、放熱部を格納する。蓄電池格納部は、蓄電装置における蓄電池を格納する。送風部は、空気を蓄電池格納部の内部に吸入する。制御部は、蓄電池格納部の内部の空気を放熱部格納部の内部に吸入する状態である冷却状態と、放熱部格納部の内部の空気を蓄電池格納部の内部に排出する状態である加熱状態とを切り替える。
【０００８】
この電源装置では、制御部によって冷却状態とされることにより、蓄電池格納部の内部にある空気が放熱部格納部の内部に吸入される。これにより、蓄電池格納部の内部には、筐体の外部の空気が流入し、蓄電池格納部の内部の温度が低下する。また、制御部によって加熱状態とされることにより、蓄電池格納部の内部に放熱部格納部の内部の空気が排出される。これにより、蓄電池格納部の内部には、電力変換回路で発生した熱によって暖められた空気が流入し、蓄電池格納部の内部の温度が上昇する。この結果、温度調整装置のような装置を備えることなく、簡易な構成で、蓄電池の温度を調整することが可能となる。また、この電源装置では、空気の温度が変化する領域が放熱部格納部及び蓄電池格納部によって形成され、これらの領域間で熱エネルギーをやり取りができる空気の流れが形成されると共に、従来損失とされていた電力変換回路で発生する熱が有効に利用される。この結果、効率的に蓄電池の温度を調整することが可能となる。
【０００９】
本発明の電源装置では、制御部は、蓄電池の温度に基づいて、冷却状態と加熱状態とを切り替えてもよい。なお、ここでいう蓄電池の温度は、蓄電池格納部の内部の温度及び蓄電池の周囲温度も含む概念である。
【００１０】
この電源装置によれば、蓄電池をよりよい環境で動作させることが可能となる。
【００１１】
本発明の電源装置では、送風部を介して筐体の外部の空気を放熱部格納部の内部に吸入するための第１開閉部と、蓄電池格納部の内部と筐体の外部との間で空気を出し入れするための第２開閉部と、送風部を介して蓄電池格納部の内部の空気を放熱部格納部の内部に吸入するための第３開閉部と、放熱部格納部の内部の空気を蓄電池格納部の内部に排出するための第４開閉部と、放熱部格納部の内部の空気を筐体の外部に排出するための第５開閉部と、を更に備えてもよい。このとき、第１開閉部〜第５開閉部のそれぞれは、制御部によって開閉が制御される構成となっており、制御部は、第２開閉部、第３開閉部及び第５開閉部を開くと共に、第１開閉部及び第４開閉部を閉じることにより冷却状態とし、第１開閉部、第２開閉部及び第４開閉部を開くと共に、第３開閉部及び第５開閉部を閉じることにより加熱状態としてもよい。
【００１２】
この電源装置によれば、第１〜第５開閉部の開閉を制御することにより、蓄電池格納部の内部の温度を低下させるか、又は蓄電池格納部の内部の温度を上昇させる。すなわち、第２開閉部、第３開閉部及び第５開閉部を開くと共に、第１開閉部及び第４開閉部を閉じることにより冷却状態とすれば、送風部によって、蓄電池格納部の内部の空気が放熱部格納部の内部に吸入され、放熱部格納部の内部の空気は筐体の外部に排出される。このとき、蓄電池格納部の内部には、第２開閉部を介して筐体の外部の空気が流入する。一般的に、筐体の外部の空気は、蓄電池格納部の内部の空気よりも冷たいので、蓄電池格納部の内部の温度は低下する。また、第１開閉部、第２開閉部及び第４開閉部を開くと共に、第３開閉部及び第５開閉部を閉じることにより加熱状態とすれば、送風部によって、筐体の外部の空気が第１開閉部を介して放熱部格納部の内部に吸入され、放熱部格納部の内部の空気は第４開閉部を介して蓄電池格納部の内部に排出される。放熱部格納部の内部の空気は、電力変換回路で発生した熱によって暖められた空気なので蓄電池格納部の内部の温度は上昇する。
【００１３】
本発明の電源装置では、制御部は、第２開閉部の開閉量を制御することにより、加熱状態における蓄電池格納部の内部の温度上昇を調整してもよい。
【００１４】
この電源装置によれば、第２開閉部の開閉量を小さくすることにより、蓄電池格納部の内部の空気が筐体の外部に排出され難くなり、蓄電池格納部の内部の温度上昇が促進される。これにより、蓄電池をよりよい環境で動作させることが可能となる。
【００１５】
本発明の電源装置では、送風部は、放熱部格納部の内部に空気を送り込む場合と逆回転することにより、放熱部格納部の内部の空気を排出することが可能な構成となっており、制御部は、送風部の回転方向を制御して、冷却状態と加熱状態とを切り替えてもよい。
【００１６】
この電源装置では、送風部の回転方向を制御することにより、蓄電池格納部の内部の温度を低下させるか、又は蓄電池格納部の内部の温度を上昇させる。すなわち、放熱部格納部の内部に空気を送り込む方向に送風部を回転させることにより冷却状態とすれば、送風部によって、蓄電池格納部の内部の空気が放熱部格納部の内部に送り込まれ、放熱部格納部の内部の空気は筐体の外部に排出される。このとき、蓄電池格納部の内部には、蓄電池格納部格納部の内部と筐体の外部との間で空気を出し入れするための開閉部を介して筐体の外部の空気が取り込まれる。一般的に、筐体の外部の空気は、蓄電池格納部の内部の空気よりも冷たいので、蓄電池格納部の内部の温度は低下する。また、蓄電池格納部の内部に空気を送り込む方向に送風部を回転させることにより加熱状態とすれば、送風部によって、放熱部格納部の内部の空気が蓄電池格納部の内部に送り込まれる。放熱部格納部の内部の空気は、電力変換回路で発生した熱によって暖められた空気なので蓄電池格納部の内部の温度は上昇する。
【００１７】
本発明の電源装置では、送風部は、放熱部格納部の内部に空気を送り込む第１送風部と、放熱部格納部の内部の空気を排出する第２送風部と、を有しており、制御部は、第１送風部及び第２送風部の一方を作動させて、冷却状態と加熱状態とを切り替えてもよい。
【００１８】
この電源装置での制御装置は、発生させる風の流れが互いに異なる第１送風機及び第２送風機の作動を制御することにより、蓄電池格納部の内部の温度を低下させるか、又は蓄電池格納部の内部の温度を上昇させる。すなわち、第１送風部を回転させることにより冷却状態とすれば、第１送風部によって、蓄電池格納部の内部の空気が放熱部格納部の内部に吸入され、放熱部格納部の内部の空気は筐体の外部に排出される。このとき、蓄電池格納部の内部には、蓄電池格納部の内部と筐体の外部との間で空気を出し入れするための開閉部を介して筐体の外部の空気が取り込まれる。一般的に、筐体の外部の空気は、蓄電池格納部の内部の空気よりも冷たいので、蓄電池格納部の内部の温度は低下する。また、第２送風部を回転させることにより加熱状態とすれば、第２送風部によって、放熱部格納部の内部の空気が蓄電池格納部の内部に排出される。放熱部格納部の内部の空気は、電力変換回路で発生した熱によって暖められた空気なので蓄電池格納部の内部の温度は上昇する。
【００１９】
本発明の電源装置では、制御部は、蓄電池格納部の内部と筐体の外部との間で空気を出し入れするための第６開閉部の開閉量を制御することにより、加熱状態における蓄電池格納部の内部の温度上昇を調整してもよい。
【００２０】
この電源装置によれば、例えば、第６開閉部の開閉量を小さくすることにより、蓄電池格納部の内部の空気が筐体の外部に排出され難くなり、蓄電池格納部の内部の温度上昇が促進される。これにより、蓄電池をよりよい環境で動作させることが可能となる。
【００２１】
本発明の電源装置では、放熱部格納部は、鉛直方向において蓄電池格納部よりも上方に配置されてもよい。
【００２２】
この電源装置によれば、放熱部格納部内部の暖かい空気が自然対流で上昇することによって他の部位の温度を上昇させることを回避できる。
【００２３】
また、本発明の電源装置では、制御部は、電力変換回路における変換効率を制御することにより発熱量を増加させ、加熱状態における蓄電池格納部の内部の温度上昇を促進させてもよい。
【００２４】
この電源装置によれば、蓄電池をよりよい環境で動作させることが可能となる。
【発明の効果】
【００２５】
本発明によれば、蓄電装置及び電力変換装置を備えた電源装置における蓄電池の温度を、簡易な構成で調整することが可能となり、かつ効率的に調整することが可能となる。
【図面の簡単な説明】
【００２６】
【図１】本発明の一実施形態である第１実施形態に係る電源装置の概略構成図である。
【図２】図１の電源装置のブロック図である。
【図３】冷却状態と加熱状態とを切り替えた場合のそれぞれの空気の流れを示した図面である。
【図４】本発明の一実施形態である第２実施形態に係る電源装置の概略構成図である。
【図５】図４の電源装置のブロック図である。
【図６】冷却状態と加熱状態とを切り替えた場合のそれぞれの空気の流れを示した図面である。
【図７】本発明の他の実施形態である電源装置の概略構成図である。
【図８】図７の電源装置のブロック図である。
【発明を実施するための形態】
【００２７】
以下、図面を参照して本発明の好適な実施形態について詳細に説明する。なお、各図面において同一又は相当の部分に対しては同一の符号を付することとする。図面の寸法比率は、説明のものと必ずしも一致していない。
【００２８】
（第１実施形態）
まず、本発明の一実施形態である第１実施形態の電源装置１について、図１〜図３を参照して説明する。図１は、第１実施形態に係る電源装置の概略構成図である。図２は、図１の電源装置のブロック図である。図３は、冷却状態と加熱状態とを切り替えた場合のそれぞれの空気の流れを示した図面である。電源装置１は、図１に示すように、パワーコンディショナ（電力変換装置）１０と、ファン（送風部）２０と、蓄電装置３０と、制御部（図２参照）７０とを備えており、所定寸法の筐体２に格納されている。この電源装置１は、「蓄電装置を搭載したパワーコンディショナ」とも呼ばれる。
【００２９】
パワーコンディショナ１０は、太陽電池（発電部）などから供給された電力を電化製品（負荷）に供給可能な電力に変換すると共に、太陽電池から供給された電力を系統電源に連系させる装置である。パワーコンディショナ１０は、電力変換回路１３、ヒートシンク（放熱部）１５、及びヒートシンク格納部（放熱部格納部）１７などを主に含んでおり、これらはパワーコンディショナ格納部１１に格納されている。
【００３０】
電力変換回路１３は、太陽電池などから供給された電力を電化製品に供給可能な電力に変換する回路であり、ＤＣＤＣコンバータ及びインバータなどの電子回路が含まれる。
【００３１】
ヒートシンク１５は、ＤＣＤＣコンバータ及びインバータなどを構成する電力変換回路１３に取り付けて、電力変換時に発生する熱を放散作用により温度を下げる部材である。ヒートシンク１５には、熱が伝導しやすいアルミニウム及び銅などの金属が用いられる。電力変換回路１３に取り付けられたヒートシンク１５は、ヒートシンク格納部１７に格納されているので、電力変換回路１３で発生した熱は、ヒートシンク格納部１７の内部で放散される。
【００３２】
ヒートシンク格納部１７は、ヒートシンク１５を格納する部分である。ヒートシンク格納部１７の内部には所定の広さの空間が形成される。
【００３３】
ファン２０は、ヒートシンク格納部１７に設けられると共に、空気をヒートシンク格納部１７の内部に吸入する部分である。ファン２０は、所定の方向に回転することにより、筐体２の外部の空気又は後述する蓄電池格納部３１の内部の空気をヒートシンク格納部１７の内部に吸入する。
【００３４】
蓄電装置３０は、太陽電池などから供給された電力を蓄電すると共に、蓄電した電力を電化製品などの負荷へ供給することを可能とする装置である。蓄電装置３０は、蓄電池３３、蓄電池管理部３５（図２参照）、及び蓄電池格納部３１などを主に含んでおり、少なくとも蓄電池３３は、蓄電池格納部３１に格納されている。
【００３５】
蓄電池３３は、太陽電池などから供給された電力を蓄電する部分であり、リチウムイオン蓄電池などが含まれる。
【００３６】
蓄電池管理部３５は、蓄電池３３の電圧及び温度などを測定して、蓄電池３３の異常検出や電池容量判定など、蓄電池３３の管理を行う部分である。蓄電池管理部３５にて取得された情報は、後述する制御部７０に送出される。
【００３７】
蓄電池格納部３１は、蓄電池３３を格納する部分である。蓄電池格納部３１の内部には所定の広さの空間が形成される。
【００３８】
本実施形態の電源装置１では、筐体２の外部と、ヒートシンク格納部１７の内部と、蓄電池格納部３１の内部との間で空気の流れを形成するために、第１開閉部５１〜第５開閉部６３が備えられている。詳細には、電源装置１は、ファン２０を介して筐体２の外部の空気をヒートシンク格納部１７の内部に吸入するための第１開閉部５１と、蓄電池格納部３１の内部と筐体２の外部との間で空気を出し入れするための第２開閉部４１と、ファン２０を介して蓄電池格納部３１の内部の空気をヒートシンク格納部１７の内部に吸入するための第３開閉部４３と、ヒートシンク格納部１７の内部の空気を蓄電池格納部３１の内部に排出するための第４開閉部６１と、ヒートシンク格納部１７の内部の空気を筐体２の外部に排出するための第５開閉部６３と、を備えている。第４開閉部６１及び第５開閉部６３は、ヒートシンク格納部１７の第３開口部１７ａから蓄電池格納部３１の近傍まで延びるダクト６０の、蓄電池格納部３１側の端部に設けられている。
【００３９】
第１開閉部５１〜第５開閉部６３のそれぞれは、開閉可能に構成されており、後述する制御部７０によって開閉が制御され得る構成となっている。例えば、第１開閉部５１〜第５開閉部６３における開閉可能な構成には、モータを使用したスライド機構などが含まれる。
【００４０】
制御部７０は、蓄電池格納部３１の内部の空気をヒートシンク格納部１７の内部に吸入する状態である冷却状態（図３（ａ）の実線矢印参照）と、ヒートシンク格納部１７の内部の空気を蓄電池格納部３１の内部に排出する状態である加熱状態（図３（ｂ）の実線矢印参照）とを、蓄電池３３の温度に基づいて切り替える部分である。なお、制御部７０は、蓄電池格納部３１の内部の温度又は蓄電池３３の周囲温度などに基づいて、上記の冷却状態と加熱状態とを切り替えてもよい。
【００４１】
ここで、上記構成の電源装置１の作用効果について説明する。この電源装置１では、制御部７０によって冷却状態とされることにより、図３（ａ）に示すように、蓄電池格納部３１の内部にある空気がヒートシンク格納部１７の内部に吸入される。これにより、蓄電池格納部３１の内部には、筐体２の外部の空気が流入し、蓄電池格納部３１の内部の温度が低下する。また、制御部７０によって加熱状態とされることにより、図３（ｂ）に示すように、蓄電池格納部３１の内部にヒートシンク格納部１７の内部の空気が排出される。これにより、蓄電池格納部３１の内部には、電力変換回路１３で発生した熱によって暖められた空気が流入し、蓄電池格納部３１の内部の温度が上昇する。
【００４２】
この結果、温度調整装置のような装置を備えることなく、簡易な構成で、蓄電池３３の温度を調整することが可能となる。また、上記電源装置１では、空気の温度が変化する領域がヒートシンク格納部１７及び蓄電池格納部３１によって形成され、これらの領域間で熱エネルギーをやり取りができる空気の流れ（図３（ａ）及び（ｂ）参照）が形成される。また、従来損失とされていた電力変換回路１３で発生する熱が有効に利用される。この結果、効率的に、蓄電池３３の温度を調整することが可能となる。
【００４３】
上記電源装置１での制御部７０における制御について更に詳細に説明する。すなわち、制御部７０は、第２開閉部４１、第３開閉部４３及び第５開閉部６３を開くと共に、第１開閉部５１及び第４開閉部６１を閉じることにより冷却状態とし、第１開閉部５１、第２開閉部４１及び第４開閉部６１を開くと共に、第３開閉部４３及び第５開閉部６３を閉じることにより加熱状態とする。
【００４４】
制御部７０が、第２開閉部４１、第３開閉部４３及び第５開閉部６３を開くと共に、第１開閉部５１及び第４開閉部６１を閉じることにより冷却状態とすれば、図３（ａ）に示すように、ファン２０によって、蓄電池格納部３１の内部の空気がヒートシンク格納部１７の内部に吸入され、ヒートシンク格納部１７の内部の空気は筐体２の外部に排出される。このとき、蓄電池格納部３１の内部には、第２開閉部４１を介して筐体の外部の空気が流入する。筐体２の外部の空気は、蓄電池格納部３１の内部の空気よりも冷たいので、蓄電池格納部３１の内部の温度は低下する。
【００４５】
制御部７０が、第１開閉部５１、第２開閉部４１及び第４開閉部６１を開くと共に、第３開閉部４３及び第５開閉部６３を閉じることにより加熱状態とすれば、ファン２０によって、筐体２の外部の空気が第１開閉部５１を介してヒートシンク格納部１７の内部に吸入され、ヒートシンク格納部１７の内部の空気は第４開閉部６１を介して蓄電池格納部３１の内部に排出される。ヒートシンク格納部１７の内部の空気は、電力変換回路１３で発生した熱によって暖められた空気なので、蓄電池格納部３１の内部の温度は上昇する。
【００４６】
上記電源装置１では、ヒートシンク格納部１７は、鉛直方向において蓄電池格納部３１よりも上方に配置されている。このため、ヒートシンク格納部１７の内部の暖かい空気が自然対流で上昇することによって他の部位（例えば、温度管理を行いたい蓄電池３３）の温度が上昇することを回避できる。
【００４７】
上記電源装置１では、従来、ヒートシンク格納部１７に設けられることが多いファン２０を利用して、蓄電池格納部３１の内部の空気の流れを形成することができるので、コスト大幅に増加させることなく製造することができる。
【００４８】
なお、制御部７０は、電源装置１の筐体２の内部に設けられてもよいし、単体の制御装置として筐体２の外部に設けられてもよい。制御部７０が筐体２の外部に設けられる場合には、家庭内にあるＰＣや外部のサーバに専用のソフトウェアを実装することにより、制御装置を実現することもできる。その場合には、Ｉ／Ｆユニット及び各種ネットワークを介して相互に情報を送受信することにより互いを制御する。
【００４９】
（第２実施形態）
次に、本発明の一実施形態である第２実施形態の電源装置１０１について、主に図４〜６を参照して説明する。図４は、第２実施形態に係る電源装置の概略構成図である。図５は、図４の電源装置のブロック図である。図６は、冷却状態と加熱状態とを切り替えた場合のそれぞれの空気の流れを示した図面である。第２実施形態の電源装置１０１が、上記第１実施形態の電源装置１と異なる主な点は、下記（Ａ）〜（Ｃ）に示す点である。
【００５０】
（Ａ）筐体２の外部と、ヒートシンク格納部（放熱部格納部）１７の内部と、蓄電池格納部３１の内部との間で空気の流れを形成する第１開閉部５１〜第５開閉部６３に代えて、第１開口部３１ａ、第２開口部３１ｂ及び第３開口部１７ａが備えられている点。
（Ｂ）制御部７０が、第１開閉部５１〜第５開閉部６３の開閉を制御する電源装置１に対し、制御部１７０が、ファン（送風部）２０の回転方向を制御する点。
（Ｃ）ヒートシンク格納部１７の第３開口部１７ａから蓄電池格納部３１の近傍まで延びるダクト６０が設けられていない点。
その他の部分は、上記第１実施形態の電源装置１と同一である。ここでは、第１実施形態と異なる部分について詳細に説明し、第１実施形態と同じ構成を有するパワーコンディショナ（電力変換装置）１０及び蓄電装置３０については説明を省略する。
【００５１】
ファン１２０は、空気をヒートシンク格納部１７の内部に吸入する部分であると共に、ヒートシンク格納部１７の内部の空気を蓄電池格納部３１の内部に排出する部分でもある。ファン１２０は、所定の方向に回転することにより、蓄電池格納部３１の内部の空気を、ヒートシンク格納部１７の内部に吸入する。また、ファン１２０は、所定の方向とは反対側に回転（逆回転）することにより、ヒートシンク格納部１７の内部の空気を蓄電池格納部３１の内部に排出する。
【００５２】
本実施形態の電源装置１０１では、筐体２の外部と、ヒートシンク格納部１７の内部と、蓄電池格納部３１の内部との間で空気の流れを形成するために、第１開口部３１ａ、第２開口部３１ｂ、及び第３開口部１７ａが備えられている。詳細には、電源装置１０１は、蓄電池格納部３１の内部と筐体２の外部との間で空気を出し入れするための第１開口部３１ａと、ファン１２０を介してヒートシンク格納部１７の内部と蓄電池格納部３１の内部との間で空気を出し入れするための第２開口部３１ｂと、ヒートシンク格納部１７の内部と筐体２の外部との間で空気を出し入れするための第３開口部１７ａと、を備えている。
【００５３】
制御部１７０は、蓄電池格納部３１の内部の空気をヒートシンク格納部１７の内部に吸入する状態である冷却状態（図６（ａ）の実線矢印参照）と、ヒートシンク格納部１７の内部の空気を蓄電池格納部３１の内部に排出する状態である加熱状態（図６（ｂ）の実線矢印参照）とを、蓄電池３３の温度に基づいて切り替える部分である。ここで、制御部１７０がファン１２０を所定の方向に回転させると冷却状態となり、所定の方向とは反対方向に回転させると加熱状態となる。このように、冷却状態及び加熱状態の切り替えは、ファン１２０の回転方向を制御することにより行われる。
【００５４】
上記構成の電源装置１０１の作用効果について説明する。この電源装置１０１では、制御部１７０によって冷却状態とされることにより、図６（ａ）に示すように、蓄電池格納部３１の内部の空気がヒートシンク格納部１７の内部に吸入される。これにより、筐体２の外部の空気が蓄電池格納部３１の内部に流入し、蓄電池格納部３１の内部の温度が低下する。また、制御部１７０によって加熱状態とされることにより、図６（ｂ）に示すように、蓄電池格納部３１の内部にヒートシンク格納部１７の内部の空気が排出される。これにより、蓄電池格納部３１の内部には、電力変換回路１３で発生した熱によって暖められた空気が流入し、蓄電池格納部３１の内部の温度が上昇する。この結果、第１実施形態の電源装置１と同様の効果が得られる。
【００５５】
上記電源装置１０１では、図４に示す第１開口部３１ａに、開口部の大きさが調整可能な第６開閉部１４１（図５の参照）を設けてもよい。このとき制御部１７０は、第６開閉部１４１の開閉量を調整することにより、加熱状態における蓄電池格納部３１の内部の温度上昇を制御してもよい。
【００５６】
以上、本発明の第１及び第２実施形態について説明したが、本発明は、これらの実施形態に限られるものではなく、発明の趣旨を逸脱しない範囲で種々の変更が可能である。
【００５７】
上記第２実施形態の電源装置１０１では、ファン１２０の回転方向が逆転可能な構成となっており、制御部１７０がファン１２０の回転方向を制御することにより、冷却状態と加熱状態とを切り替える例を挙げて説明したが、本発明はこれに限定されるものではない。例えば、電源装置１０１のファン（送風部）２２０は、図７及び図８に示すように、空気をヒートシンク格納部１７の内部に吸入する吸入ファン（第１送風部）２２１と、ヒートシンク格納部１７の内部の空気を排出する排出ファン（第２送風部）２２３とを有していてもよい。この場合、制御部１７０は、吸入ファン２２１と排出ファン２２３との間で作動させるファンを切り替えることにより、冷却状態と加熱状態とを切り替えることができる。
【００５８】
上記第１及び第２実施形態の電源装置１，１０１において、制御部７０，１７０は、電力変換回路１３における変換効率を制御することにより、電力変換回路１３での発熱量を増加させてもよい。このように制御すれば、加熱状態における蓄電池格納部３１の内部の温度上昇を促進させることができる。
【００５９】
上記第１及び第２実施形態の電源装置１，１０１において、例えば、開閉機構の故障などにより第１開閉部５１〜第５開閉部６３又はファン１２０が作動しなかった場合には、例えば、表示装置などに作動していない状況を表示したり、音を発したりするなどの報知を行ってもよい。このような報知をすれば、ユーザは手動で各開閉部の開閉を行ったりするなど、早期の対応が可能となる。
【符号の説明】
【００６０】
１，１０１，２０１…電源装置、２…筐体、１０…パワーコンディショナ（電力変換装置）、１１…パワーコンディショナ格納箱、１３…電力変換回路、１５…ヒートシンク（放熱部）、１７…ヒートシンク格納部（放熱部格納部）、１７ａ…第３開口部、２０，１２０，２２０…ファン（送風部）、３０…蓄電装置、３１…蓄電池格納部（蓄熱部格納部）、３１ａ…第１開口部、３１ｂ…開口部、３３…蓄電池、３５…蓄電池管理部、４１…第２開閉部、４３…第３開閉部、５１…第１開閉部、６０…ダクト、６１…第４開閉部、６３…第５開閉部、７０，１７０…制御部、１４１…第６開閉部、２２１…吸入ファン（第１送風部）、２２３…排出ファン（第２送風部）。
【図１】
2014107207.tif 000003
【図２】
2014107207.tif 000004
【図３】
2014107207.tif 000005
【図４】
2014107207.tif 000006
【図５】
2014107207.tif 000007
【図６】
2014107207.tif 000008
【図７】
2014107207.tif 000009
【図８】
2014107207.tif 000010